(57)【要約】【課題】  エキスパンションジョイントの摺動性を改善し、通路のせり上がりをなくして破損に至ることのないこと。【解決手段】  本発明のエキスパンションジョイント通路は、上記課題を解決するために、建屋の免震装置上に設置され、該免震装置と共に可動する可動床と、該可動床と前記建屋の擁壁との間を跨ぐように設置され、前記擁壁上部の摺動部を、前記可動床の可動に追従して摺動し移動するエキスパンションジョイントと、前記擁壁上部の摺動部に設置された複数の半割り鋼管とを備えていることを特徴とする。【選択図】図３
2014029081.tif 000002
【特許請求の範囲】
【請求項１】
建屋の免震装置上に設置され、該免震装置と共に可動する可動床と、該可動床と前記建屋の擁壁との間を跨ぐように設置され、前記擁壁上部の摺動部を、前記可動床の可動に追従して摺動し移動するエキスパンションジョイントと、前記擁壁上部の摺動部に設置された複数の半割り鋼管とを備えていることを特徴とするエキスパンションジョイント通路。
【請求項２】
請求項１に記載のエキスパンションジョイント通路において、
前記エキスパンションジョイントの長さが、前記免震装置と擁壁のクリアランスをＬ、前記エキスパンションジョイントの可動量をＬとした時、２Ｌより長いことを特徴とするエキスパンションジョイント通路。
【請求項３】
請求項１又は２に記載のエキスパンションジョイント通路において、
前記エキスパンションジョイントは、ステンレス製の外枠にコンクリートが打設されて形成されていることを特徴とするエキスパンションジョイント通路。
【請求項４】
請求項３に記載のエキスパンションジョイント通路において、
前記エキスパンションジョイントの先端部には、防錆用ゴムが設置されていることを特徴とするエキスパンションジョイント通路。
【発明の詳細な説明】
【技術分野】
【０００１】
本発明はエキスパンションジョイント通路に係り、特に、免震装置が設置されている建物に車両通行用として用いられるものに好適なエキスパンションジョイント通路に関するものである。
【背景技術】
【０００２】
一般に、免震装置が設置されている建物には、トレーラ等の重量物である車両が通行できるように、地震時の建物の可動を考慮した通行用の可動床が設置されたエキスパンションジョイント通路が使用されている。
【０００３】
従来のエキスパンションジョイント通路の構造を図１に示す。
【０００４】
該図に示す如く、従来のエキスパンションジョイント通路は、建屋の免震装置５の上に設置されている可動床である建物１階床３と、この建物１階床３と建屋の擁壁２との間を跨ぐように設置され、擁壁２上部の摺動部を、建物１階床３の可動に追従して移動するエキスパンションジョイント１と、エキスパンションジョイント１が可動したときに水平変位を逃がすための乗り上げ台及び当該通路に乗り上げるための本設スロープ４から概略構成されている。
【０００５】
なお、エキスパンションジョイントに関連するものとして、特許文献１及び２に記載されたものがある。
【０００６】
特許文献１には、免震構造物と非免震構造物との躯体上面を凹設してクリアランス上に架設されるエキスパンション床部材が、金属製の固定枠材、先端枠材、並びに側面枠材を外周部に有し、かつ、工場生産のプレキャストコンクリート板から構成される免震エキスパンションジョイント床が記載されている。
【０００７】
また、特許文献２には、地震等の際に上下方向及び水平方向の動きに対応でき、耐久性に優れる建築物用床エキスパンションジョイントについて記載されている。
【先行技術文献】
【特許文献】
【０００８】
【特許文献１】特開２０１０−９５８５０号公報
【特許文献２】特開２０１０−２２９７８７号公報
【発明の概要】
【発明が解決しようとする課題】
【０００９】
しかしながら、図１に示した従来のエキスパンションジョイント通路では、地震時にエキスパンションジョイント通路が可動したときに、エキスパンションジョイント通路が想定通りにせり上がらず、エキスパンションジョイント通路が破損に至る恐れがある。
【００１０】
また、建物と建屋の擁壁との水平クリアランスは、６００ｍｍが一般的であるが、クリアランスを６００ｍｍ以上とした場合、重量物の通過を考慮した床強度を得るには、床厚を増す必要があり、さらに免震床での片持ち構造であるため床圧が増し、エキスパンションジョイント通路の摺動性が問題となる。
【００１１】
本発明は上述の点に鑑みなされたもので、その目的とするところは、エキスパンションジョイントの摺動性を改善し、通路のせり上がりをなくして破損に至ることのないエキスパンションジョイント通路を提供することにある。
【課題を解決するための手段】
【００１２】
本発明のエキスパンションジョイント通路は、上記目的を達成するために、建屋の免震装置上に設置され、該免震装置と共に可動する可動床と、該可動床と前記建屋の擁壁との間を跨ぐように設置され、前記擁壁上部の摺動部を、前記可動床の可動に追従して摺動し移動するエキスパンションジョイントと、前記擁壁上部の摺動部に設置された複数の半割り鋼管とを備えていることを特徴とする。
【００１３】
また、上記構成に加え、前記エキスパンションジョイントの長さが、前記免震装置と擁壁のクリアランスをＬ、前記エキスパンションジョイントの可動量をＬとした時、２Ｌより長いことを特徴とする。
【００１４】
また、上記構成に加え、前記エキスパンションジョイントは、ステンレス製の外枠にコンクリートが打設されて形成されていることを特徴とする。
【００１５】
また、上記構成に加え、前記エキスパンションジョイントの先端部には、防錆用ゴムが設置されていることを特徴とする。
【発明の効果】
【００１６】
本発明によれば、エキスパンションジョイントの摺動性を改善し、通路のせり上がりをなくして破損に至ることのないエキスパンションジョイント通路を得ることができる。
【図面の簡単な説明】
【００１７】
【図１】従来のエキスパンションジョイント通路を示す部分断面図である。
【図２】本発明のエキスパンションジョイント通路の実施例１を示す部分断面図である。
【図３】本発明のエキスパンションジョイント通路の実施例１であり、可動時の変形状態を示す部分断面図である。
【図４】本発明のエキスパンションジョイント通路に採用されるエキスパンションジョイントの詳細図である。
【図５】図４のエキスパンションジョイントの先端部の詳細図である。
【発明を実施するための形態】
【００１８】
以下、図示した実施例に基づいて本発明のエキスパンションジョイント通路を説明する。なお、符号は、従来と同一のものは同符号を使用する。
【実施例１】
【００１９】
図２乃至図５に、本発明のエキスパンションジョイント通路の実施例１を示す。
【００２０】
該図に示す如く、本実施例のエキスパンションジョイント通路は、建屋の免震装置５の上に設置されている可動床である建物１階床３と、この建物１階床３と建屋の擁壁２との間を跨ぐように設置され、擁壁２上部の摺動部を、建物１階床３の可動に追従して移動するエキスパンションジョイント１と、擁壁２上部の摺動部に設置された複数の半割り鋼管７とから概略構成され、エキスパンションジョイント１は、建物１階床３に固定されており、擁壁２側は、半割り鋼管７上で単純支持となっている。また、エキスパンションジョイント１の先端には、従来のような乗り上げ台及び本設スロープ４を設けず、エキスパンションジョイント１の可動時は、水平移動する構造である。尚、トレーラ通過時は、仮設スロープ６を設けることとする。
【００２１】
図４及び図５に、エキスパンションジョイント１の詳細を示す。エキスパンションジョイント１は、ＳＵＳプレート９で製作された外枠にコンクリートを打設した構造となっており、建物側はアンカー（固定用フック１１）で固定されており、ボルト接合であるので、取り外し可能である。また、擁壁２上部の摺動部に設置されている複数の半割り鋼管７は、半割り鋼管受け用鋼材８により固定されており、複数の半割り鋼管７の上をエキスパンションジョイント１が滑ることで、床圧が増しても摺動性を高めることができる。
【００２２】
また、エキスパンションジョイント１の先端部には、防錆用ゴム１０が設置され、摺動部に使用しているステンレス鋼の錆びを防止して経年劣化を防ぎ、経年後の摺動性を確保している。なお、防錆用ゴム１０は、Ｌ字状のゴム固定用アングル材１２を介して、半割り鋼管受け用鋼材８に固定されている。
【００２３】
更に、本実施例では、図２に示す如く、免震装置５と擁壁２のクリアランスをＬｍｍとし、エキスパンションジョイント１の可動量をＬｍｍとした時、エキスパンションジョイント１の長さを、２Ｌよりαだけ長くしている。
【００２４】
このようにエキスパンションジョイント１を構成することにより、図３に示す如く、地震可動時の最大変形時に、免震装置５と擁壁２のクリアランスが２Ｌであっても、エキスパンションジョイント１がクリアランスの２Ｌよりα分長いため、エキスパンションジョイント１が脱落することはない。
【００２５】
このような本実施例の構成とすることにより、エキスパンションジョイント１のせり上がりをなくなり、エキスパンションジョイント１の摺動性が向上するので、エキスパンションジョイント１が破損に至ることがなくなる。また、建物が最大変位で可動した場合でも、エキスパンションジョイント１が脱落しない長さであり、更に、重量物が通過した場合でも、問題ない強度を保つ構造とすることができる。
【００２６】
よって、本実施例のエキスパンションジョイント通路は、大地震時には免震建物の可動に追従した構造であり、かつ、平常時にはトレーラ等の重量物の通過に耐えるという利点がある。
【００２７】
なお、本発明は上記した実施例に限定されるものではなく、様々な変形例が含まれる。例えば、上記した実施例は本発明を分かり易く説明するために詳細に説明したものであり、必ずしも説明した全ての構成を備えるものに限定されるものではない。また、ある実施例の構成の一部を他の実施例の構成を置き換えることが可能であり、また、ある実施例の構成に他の実施例の構成を加えることも可能である。また、各実施例の構成の一部について、他の構成の追加・削除・置換をすることが可能である。
【符号の説明】
【００２８】
１…エキスパンションジョイント、２…擁壁、３…建物１階床、４…乗り上げ台及び本設スロープ、５…免震装置、６…仮設スロープ、７…半割り鋼管、８…半割り鋼管受け用鋼材、９…ＳＵＳプレート、１０…防錆用ゴム、１１…固定用フック、１２…ゴム固定用アングル材。
【図１】
2014029081.tif 000003
【図２】
2014029081.tif 000004
【図３】
2014029081.tif 000005
【図４】
2014029081.tif 000006
【図５】
2014029081.tif 000007